(57)【特許請求の範囲】
【請求項１】
人間または動物の身体の外側のホースを前記身体の内側に配置されるホース（２）に接続するための移植可能な円筒形装置（１）において、円筒形軸（１４）と該円筒形軸の外周に配置され皮膚面から下方へ離れるようにテーパして半径方向に延在する固定プレート（１３）とを有し、前記円筒形軸（１４）は外周面から一体的に半径方向に突出する少くとも１つの外周フィン（１１）を有し、該外周フィンが前記円筒形軸（４）を、前記身体の外側に位置する軸部分（１５）と前記身体の内側に位置する固定部分（１６）とに分割していることを特徴とする円筒形装置。
【請求項２】
前記固定プレート（１３）から少くとも１つの固定フィン（１２）が突出している、請求項１の円筒形装置。
【請求項３】
前記固定フィン（１２）は前記固定プレート（１３）の一部である、請求項２の円筒形装置。
【請求項４】
前記固定フィン（１２）は、前記外周フィン（１１）と前記固定プレート（１３）との間に配置されている、請求項２又は３の円筒形装置。
【請求項５】
前記外周フィン（１１）および前記固定フィン（１２）はそれぞれフィン周縁部（１１ａ，１２ａ）を有する、請求項１〜４のいずれか１項の円筒形装置。
【請求項６】
前記外周フィン（１１）と前記固定フィン（１２）との間の距離は、該両フィンにより形成される溝形状半径方向ポケット（１０）の断面形直径より小さい、請求項５の円筒形装置。
【請求項７】
前記固定プレート（１３）は、穴（２４）を有している、請求項１〜６のいずれか１項の円筒形装置。
【請求項８】
プラスティック部品として射出成形される、請求項１〜７のいずれか１項の円筒形装置。
【請求項９】
皮膚状の色を有する、請求項１〜８のいずれか１項の円筒形装置。
【請求項１０】
大部分が皮膚の下に配置される、請求項１〜９のいずれか１項の円筒形装置。
【請求項１１】
小開口（３１ｂ）を有する表面が前記身体の外側に配置される、請求項１〜９のいずれか１項の円筒形装置。
【請求項１２】
前記円筒形装置の内側開口部（３２）は、前記身体の内側に配置されるホース（２）に接続され、前記円筒形装置の外側開口部（３１ａ）は、前記小開口（３１ｂ）により開口が縮小されている請求項１〜１１のいずれか１項の円筒形装置。
【請求項１３】
可撓性膜部材（２１）が前記円筒形装置の内部に配置されて前記外側開口部（３１ａ）を封止している、請求項１〜１２のいずれか１項の円筒形装置。
【発明の詳細な説明】
【０００１】
【発明の属する技術分野】
本発明は、薬剤投与用の移植可能なポート本体に関する。
【０００２】
【従来の技術】
米国特許第ＵＳ−Ａ−５３０６２５５号は、皮下ポート本体を示している。皮下ポート本体は、皮膚によって完全にカバーされ、通常、数カ月または数年にわたって人体内に残る。ポート本体は、ポート室を含む。人間または動物の身体内に完全に配置されるポート室は、皮膚側で貫通可能なプラスティック膜部材によってシールされ、薬剤放出場所に導かれるカテーテルは、身体の内側に面する側で固定される。薬剤を投与するために、皮膚および膜部材が注入セットの針で突き通される。これは、注入セットから放出場所に連続した薬剤溝をつくる。
【０００３】
ヨーロッパ特許ＥＰ−Ｂ−０３０２０７２号は、円筒形の経皮的な移植可能なポート本体を示している。皮下的ポート本体と比較して、経皮的ポ−ト本体は人体に完全には移植されないが、ポート本体の少なくともある領域が皮膚によってカバーされるように組織に固定される。この領域の中心は、第１の開口を有する。組織によって完全に包囲されたポート本体の部分の第１の開口とは反対側にポート本体の第２の開口部が配置されている。この開口部に薬剤を搬送すべき体内の場所に端部が配置されているカテーテルが接続されている。ポート本体は、共に螺合される２つの金属部品からなる。ポート本体、ポート室の内側は、２つの開口部を分離する貫通可能な膜部材を含む。ポート本体の外側ケーシングは、経皮的な皮膚組織にポートを側方に固定するいくつかの半径方向の溝を有し、最も外側の溝は、皮膚面のすぐ下に配置される。またポート室は組織内のベースプレート内に固定される。
【０００４】
【発明が解決しようとする課題】
皮下ポートの欠点は、ポートを移植することなしに交換することができず、または機械的にきれいにするすることができないことである。他の欠点は、皮膚の同じ場所に常に穴を空けることができないことである。要するにこれは痛みを伴い、長期間にわたってそれを行うと、皮膚と膜部材に穴が生じる。
【０００５】
説明した経皮的ポートの欠点は、それが非常に重く、目に見える大きな外面を有することである。さらに金属ポート本体は、その色によって容易に認識することができる。設置されたポート本体は、ベースプレートとポート本体との間に空隙を有し、この空隙は、きれいにし殺菌することが困難である。これは細菌が感染する危険性がある。この半径方向の溝は、鋭い縁部とコーナがきれいにされるように配置されるような寸法である。これらの領域において、組織セルの有効な成長および適当なクリーニングは、不可能である。皮膚表面と最も上の溝との間の分離線がないと、身体の外側の発汗およびごみが、その溝に直接入る。極端な場合、これは、細菌の感染を生じ、ポートを移植することが必要になる。他の欠点は、上述したポートの部品を中実の材料から機械加工しなければならないことである。重量低減手段によって追加的なコストを招き、製造コストが高くなる。また従来技術の固定は、傾斜モーメントの影響によって固定部品が皮膚から飛び出す危険性を呈する。
【０００６】
【発明が解決しようとする課題】
本発明はこれらの欠点を回避することをねらいとする。本発明の目的は、身体形状に適応するようになっており、相互に接続されたケーシング表面および連続的な遷移領域を含む低コストポートを開発することである。このポートは、射出成型および生体に害のない材料によって製造されることが好ましい。皮膚は、ポート壁の周りに緊密に成長することができなければならない。皮膚の成長深さには、可能な限り均一で、ポートから制御可能でなければならない。固定部分の形状は、傾斜モーメントを受ける場合、固定部材の縁部または他の部品が患者の身体から飛び出さないように構成されていなければならない。
【０００７】
【課題を解決するための手段】
本発明は、特許請求の範囲の特徴部分を備えたポート本体を提供することによってこの課題を解決する。
【０００８】
本発明は、使用するとき、さらにきれいにすることができ、外表面の構成によって身体にさらによく保持され、傾斜モーメントを受けた場合、皮膚を固定領域上でゆるやかに起伏させることができる廉価なポート本体を製造する主な利点を提供する。
【０００９】
【発明の実施の形態】
以下本発明の一実施例を図面を参照して詳細に説明する。
【００１０】
この明細書で使用する「内側」という用語は、人間または動物の身体の内側を言い、「外側」という用語は、人間または動物の身体の外側を言うものとする。
【００１１】
図１および図２を参照すると、ポート本体１は、２つの主な部品、すなわち、中空の円筒形軸１４と、前記軸に配置された半径方向の固定プレート１３とに分割することができる。
【００１２】
ポート本体１は、２つの対向開口部３１ａ，３２を備えている。外側に向かって面している開口部３１ａは、円筒形ポート本体１の内径に対応する。この開口部３１ａは、その中央に小さい開口３１ｂを有するふた２２によって寸法が小さくなる。注入ホースは、小さい残りの開口部３１ｂを通してポート本体の内側に押し込むことができる。内側に面する第２の開口部３２は、身体の内側の所望の場所に薬剤を移動させるカテーテル２を配置することができるようになっている。
【００１３】
蓋２２の領域において、円筒形ポート本体１の内壁７は、統合固定溝を備えたバヨネット型カム６を有し、このカム６は、対応するカウンタ部品を備えた蓋２２をポート本体に固定することができる。
【００１４】
中空の円筒形軸１４および固定プレート１３は、生体に害のないプラスティック部品から成形される。可撓性を有する、自己閉鎖型膜部材２１は、２つの開口部の間に配置され、中空の円筒形軸１４によって形成された室２０を埋め、密封する。
【００１５】
円筒形ポート本体１４は、外側に面する軸部分１５と、内側に面する固定部分１６との２つの領域に分割される。突出ポートフィン１１は、２つの領域１５，１６の間に半径方向に配置される。
【００１６】
軸部分１５は円滑な表面構造を備えた不活性材料から製造される。それは、外側に面する側で外側に向かう開口部３１で終結しており、固定部分１６に面する側で突出ポートフィン１１を備えている。この領域で皮膚は成長することはできない。移植するとき、軸部分は外側からポートフィン１１まできれいにすることができる。
【００１７】
固定部分１６は、ポートフィン１１と、固定部分１６から突出している固定フィン１２と、固定プレート１３とからなる。ポートフィン１１および固定フィン１２の双方は、周縁のフィンの縁部１１ａ，１２ａを含む。溝形状の半径方向のポケット１０は、ポートフィン１１と固定フィン１２との間の形成される。なぜならば、２つの周縁フィンの縁部１１ａ，１２ａの間の空隙が半径方向のポケット１０それ自身の断面の直径よりかなり小さいからである。２つのフィンの縁部１１ａ，１２ａの間に形成された空隙によって、組織細胞は溝形状の半径方向のポケット１０に成長することができる。
【００１８】
固定リブ１２は、固定プレート１３の一部か、ポートフィン１１と固定プレート１３との間で前記プレートとは別に配置される。
【００１９】
固定部分１６は、バイオアクテイブ材料でコートされ、粗い表面構造を有する。これは、ポケット１０内部で組織を広げることができ、組織の細胞は、粗い表面に取り付くことができる。
【００２０】
組織が半径方向のポケット１０の中に成長する間、組織はそれ自身半径方向のポケット１０に入り込み、組織と半径方向のポケット１０の表面との間の同一平面での接続を保証する。
【００２１】
固定プレート１３は、中空の円筒形軸１４の固定部分１６の周りに半径方向に配置される。固定プレート１３は、皮膚面から周縁方向に下に向かうプレート形状を有する。ポート本体１の傾斜モーメントの効果の間、プレート１３の下に向かう形状によって縁部１７が皮膚を貫く代わりに皮膚を固定プレート１３上でゆっくり起伏させる。
【００２２】
固定プレート１３は、周囲の組織が最大限保持するようにする穴２４を含む。
【００２３】
一旦移植した後、ポートの蓋２２を開放することができるようにするため、ポート軸１５の外面の上端に設置補助溝９が設けられる。同じ水準に配置された３つのこのような溝９を特別の治具で保持し、６角形状の開口部３１ｂの蓋２２が回転によってポート本体１４との接続から解放される。
【００２４】
経皮的ポート本体１において、蓋２２は、この領域が外側から見ることができるような皮膚状の色で製造される。通常、ポート本体全体は皮膚の色で製造される。
【図面の簡単な説明】
【図１】本発明によるポート本体の断面図である。
【図２】人間または動物の身体内に配置された本発明による経皮的ポートの斜視図である。
【符号の説明】
１  円筒形装置
２  カテーテル
１０  ポケット
１１，１２  フィン
１３  固定プレート
１４  円筒形軸
１５  軸部分
１６  固定部分
２２  蓋
２４  穴
３１ａ  開口部
【図１】
0004030179.tif 000002
【図２】
0004030179.tif 000003